(57)【要約】【課題】同一の機器にＨＤＭＩ接続されたことを判別し、同一の機器に接続された場合は、ＨＤＭＩ信号の出力を１つの端子のみに出力する制御を行えるようにすることを目的とする。【解決手段】同一の機器にＨＤＭＩ接続されたことを判別し、同一の機器に接続された場合は、ＨＤＭＩ信号の出力を１つのＨＤＭＩ端子のみに出力し、他のＨＤＭＩ端子への冗長な映像音声出力を自動で停止する。【選択図】図１
2015186061.tif 000002
【特許請求の範囲】
【請求項１】
映像信号を出力する出力手段と、
映像受信装置の端子と接続を行う接続手段と、
映像受信装置の端子との接続を検知する検知手段と、
映像受信装置と通信を行う通信手段と、
前記出力手段にて出力された映像信号を停止する停止手段と、
前記検知手段によって接続された複数の前記端子が前記映像受信装置のもつ端子であるかどうかを判別する判別手段とをもち、
前記検知手段にて映像受信装置の複数の端子に接続されたことを検知すると、前記通信手段にて通信を行い、前記判別手段にて前記映像受信装置の端子に接続されたかどうかを判別し、前記映像受信装置であった場合は前記端子の何れか１つに、前記出力手段にて映像信号を出力し、前記停止手段にて他の前記端子へは映像信号の出力を停止することを特徴とする通信装置。
【請求項２】
映像信号を出力する出力手段と、
映像受信装置の端子と接続を行う接続手段と、
映像受信装置の端子との接続を検知する検知手段と、
映像受信装置と通信を行う通信手段と、
前記出力手段にて出力された映像信号を停止する停止手段と、
前記検知手段によって接続された複数の前記端子が前記映像受信装置もつ端子であるかどうかを判別する第一の判別手段と、
映像受信装置で有効となっている端子がどの端子であるかを判別する第二の判別手段とをもち、
前記検知手段にて映像受信装置の複数の端子に接続されたことを検知すると、前記通信手段にて通信を行い、前記第一の判別手段にて前記映像受信装置の端子に接続されたかどうかを判別し、映像受信装置であった場合は、前記第二の判別手段にて接続された前記端子が、前記映像受信装置で有効となっている端子かどうかを判別し、有効な端子のみに対して、前記出力手段にて映像信号を出力し、前記停止手段にて他の前記端子へは映像信号の出力を停止することを特徴とする通信装置。
【発明の詳細な説明】
【技術分野】
【０００１】
本発明は、映像送信装置に関する。
【背景技術】
【０００２】
現在、映像送信装置と映像受信装置とを接続し、ユーザーが高画質で動画データを鑑賞できる規格が一般的に知られている。例えば、ＨＤＭＩ(登録商標）（Ｈｉｇｈ  Ｄｉｆｉｎｉｔｉｏｎ  Ｍｅｄｉａ  Ｉｎｔｅｒｆａｃｅ）（登録商標）は、一本のケーブルで映像及び音声を送信可能なデジタルインターフェース規格である。ＨＤＭＩでは動画データの伝送に加え、ＨＤＭＩケーブルで接続された装置間で相互に制御を可能とするＣＥＣ（Ｃｏｎｓｕｍｅｒ  Ｅｌｅｃｔｒｏｎｉｃｓ  Ｃｏｎｔｒｏｌ）規格が規定されている。ＣＥＣでは、バス接続された信号線（ＣＥＣバスライン）上にコマンドを伝送することで、装置間の制御を実現しており、コマンドの送信元と送信先を指定するために、ＣＥＣバスラインに接続された装置にはアドレス情報が割り当てられる。アドレス情報は、接続された装置自身がアドレス探査コマンドを送信し、前記アドレス探査コマンドへの応答が無かったアドレスを未使用のアドレスと判定し自身のアドレス情報として利用することがＣＥＣ規格により定められている。
【０００３】
映像送信装置が映像受信装置に映像信号を送信している場合、映像受信装置から映像送信装置に、映像信号の切り替えを要求するコマンドが送られた場合、映像送信装置が、映像受信装置に送信する映像信号を切り替えることが開示されている（特許文献１）。
【先行技術文献】
【特許文献】
【０００４】
【特許文献１】特開２００８−１６７０５５号公報
【発明の概要】
【発明が解決しようとする課題】
【０００５】
映像送信装置において、映像信号を複数のＨＤＭＩ端子から出力したいが、コスト等の観点から、映像信号を記録するＩＣを複数搭載せず、複数のＨＤＭＩ端子から同一の映像信号を出力したいという仕様のニーズがある。そこで、１つのＩＣで構成される映像信号源と、複数のＨＤＭＩ出力ポートをもつ装置がある場合、動作に際して以下の課題が発生する。
【０００６】
映像送信装置とＨＤＭＩケーブルで接続された映像受信装置のＨＤＭＩ端子に映像信号が出力される際、１つの映像受信装置の複数のＨＤＭＩ端子に対して、同一の映像信号やＣＥＣ規格のコマンドが複数送信されてしまう。映像受信装置側の各々のＨＤＭＩ端子が受信できる映像は、解像度に差異が存在することもあるが、ユーザーからすると、同一の映像や音声を受信しようとするため、映像信号の冗長な受信が発生してしまう。また、ユーザーがそれに気が付いた場合、手動で冗長な接続を解除しなくてはならない。
【０００７】
従来は、上述の課題に対して、ＨＤＭＩ接続された映像受信装置から映像信号の切り替え要求が出された場合、映像送信装置は、出力している映像信号を停止し、他の映像信号に切り替える動作を行っていた。しかし、映像受信装置の要求の有無に依存せずに、映像送信装置で、同一接続機器の端子に接続されていることを自動で判別し、判別結果によって映像信号の出力を制御することができなかった。
【０００８】
そこで、本発明は、同一の機器にＨＤＭＩ接続されたことを判別し、同一の機器に接続された場合は、ＨＤＭＩ信号の出力を１つの端子のみに出力する制御を行えるようにすることを目的とする。
【課題を解決するための手段】
【０００９】
上記課題を解決するために、本発明に係る映像送信装置は、映像信号を出力する出力手段と、映像受信装置の端子と接続を行う接続手段と、映像受信装置の端子との接続を検知する検知手段と、映像受信装置と通信を行う通信手段と、前記出力手段にて出力された映像信号を停止する停止手段と、前記検知手段によって接続された複数の前記端子が前記映像受信装置のもつ端子であるかどうかを判別する判別手段とをもち、前記検知手段にて映像受信装置の複数の端子に接続されたことを検知すると、前記通信手段にて通信を行い、前記判別手段にて前記映像受信装置の端子に接続されたかどうかを判別し、前記映像受信装置であった場合は前記端子の何れか１つに、前記出力手段にて映像信号を出力し、前記停止手段にて他の前記端子へは映像信号の出力を停止することを特徴とする。
【００１０】
また、本発明に係る映像送信装置は、映像信号を出力する出力手段と、映像受信装置の端子と接続を行う接続手段と、映像受信装置の端子との接続を検知する検知手段と、映像受信装置と通信を行う通信手段と、前記出力手段にて出力された映像信号を停止する停止手段と、前記検知手段によって接続された複数の前記端子が前記映像受信装置もつ端子であるかどうかを判別する第一の判別手段と、映像受信装置で有効となっている端子がどの端子であるかを判別する第二の判別手段とをもち、前記検知手段にて映像受信装置の複数の端子に接続されたことを検知すると、前記通信手段にて通信を開始し、前記第一の判別手段にて前記映像受信装置の端子に接続されたかどうかを判別し、映像受信装置であった場合は、前記第二の判別手段にて接続された前記端子が、前記映像受信装置で有効となっている端子かどうかを判別し、有効な端子のみに対して、前記出力手段にて映像信号を出力し、前記停止手段にて他の前記端子へは映像信号の出力を停止することを特徴とする。
【発明の効果】
【００１１】
本発明によれば、冗長な映像信号の送信とＨＤＭＩ接続を回避し、他の多くの機器と接続できるようにするこでユーザーの視聴環境の利便性を向上させる。
【図面の簡単な説明】
【００１２】
【図１】本発明を適用した第１、２の実施形態の概略構成図
【図２】本発明を適用した第１、２の実施形態のシステム図
【図３】本発明を適用した第１の実施形態の処理を示すフローチャート
【図４】本発明を適用した第２の実施形態の処理を示すフローチャート
【図５】本発明を適用した第１の実施形態の処理を示すユーザーインタフェース図
【発明を実施するための形態】
【００１３】
＜第１の実施形態＞
以下、図１〜３を参照しながら説明する。ただし、以下の実施例はあくまでも一例であって、本発明は以下の実施例に限定されるものではない。図１は、本発明の第１の実施形態に係るＨＤＭＩ規格に準拠した通信システムの一例を示す図である。
【００１４】
第１の実施形態に係る通信システムは、図１に示すように、映像送信装置１００、映像受信装置１０３、及びＨＤＭＩケーブル１０６を有し、映像送信装置１００と映像受信装置１０３とは、ＨＤＭＩケーブル１０６を介して接続されている。なお、映像送信装置１００は、ＨＤＭＩ規格におけるソース装置に対応し、映像受信装置１０３は、ＨＤＭＩ規格におけるシンク装置に対応する。映像送信装置１００は、例えば、デジタルビデオカメラやデジタルスチルカメラである。また、映像受信装置１０３は、例えば、テレビである。また、本実施例におけるＨＤＭＩケーブル１０６は、後述する、＋５Ｖ信号、ＨＰＤ信号、映像信号（ＴＭＤＳ）信号、ＥＤＩＤ、ＣＥＣコマンドをそれぞれ伝送可能な信号線を有するものとする。
【００１５】
映像送信装置１００には、ＨＤＭＩ端子１０１、１０２が搭載されており、映像受信装置１０３には、それぞれＨＤＭＩ端子１０４、１０５が搭載されている。本実施形態では、ＨＤＭＩ端子１０４、１０５が受信する映像信号に含まれる映像信号は、異なる解像度の信号であることを前提とするが、必ずしも解像度が異なる必要は無い。
【００１６】
映像送信装置１００、映像受信装置１０３及びＨＤＭＩケーブル１０６は、ＨＤＭＩ規格に準拠するものとする。なお、本実施例におけるＨＤＭＩ規格は、Ｖｅｒｓｉｏｎ  １．４ａに限るものではなく、Ｖｅｒｓｉｏｎ  １．４ａ以前の規格であってもよい。また、映像送信装置１００、映像受信装置１０３及び接続ケーブル１０６は、ＨＤＭＩ規格に互換性を持つ別の規格に準拠するものであってもよい。
【００１７】
本実施例において、映像送信装置１００、映像受信装置１０３及びＨＤＭＩケーブル１０６は、ＨＤＭＩ規格が規定しているＣＥＣ（Ｃｏｎｓｕｍｅｒ  Ｅｌｅｃｔｒｏｎｉｃｓ  Ｃｏｎｔｒｏｌ）規格に対応した装置であるとする。ＨＤＭＩケーブル１０６を介して映像送信装置１００と映像受信装置１０３との間で双方向に送信されるコマンドは、ＣＥＣ規格に準拠する。以下、ＣＥＣ規格に準拠したコマンドを「ＣＥＣコマンド」と呼ぶ。
【００１８】
図２は本実施形態による映像送信装置１００の構成例を示すシステム図である。
【００１９】
映像送信装置１００は、ＨＤＭＩ端子１０１、１０２、ＣＰＵ２００、内蔵メモリー２０１、電源２０２、カメラ部２０３、ＣＯＤＥＣ２０４、ＬＣＤパネル２０５及び操作ボタン２０６を有する。さらに、映像送信装置１００は、ＳＤメモリカード２０７、ＳＤメモリカードスロット２０８、ＲＡＭ２０９及びＲＯＭ２１０を有する。
【００２０】
ＨＤＭＩ端子１０１、１０２は、それぞれ、＋５Ｖ出力部２１１ａ、２１１ｂ、ＨＰＤ信号入力部２１２ａ、２１２ｂ、映像信号送信部２１３ａ、２１３ｂ、ＣＥＣコマンド送受信部２１４ａ、２１４ｂ、ＥＤＩＤ信号入力部２１５ａ、２１５ｂから構成される。
【００２１】
ＥＤＩＤとは、画像表示能力、物理アドレス（Ｐｈｙｓｉｃａｌ  Ａｄｄｒｅｓｓ）等を含むシンク装置のデバイス情報を記述したデータである。ＥＤＩＤは、ソース装置とシンク装置がＨＤＭＩケーブルを介して接続（以下、ＨＤＭＩ接続）された場合に、シンク装置からソース装置に送信される。ソース装置は、受信したＥＤＩＤの内容を解析し、シンク装置が受信可能な信号の種類を判定した後、判定結果に応じて映像信号をシンク装置に対して送信する。ＥＤＩＤの各種情報の送受信はＨＤＭＩケーブルの、図示しないＤＤＣ（Ｄｉｓｐｌａｙ  Ｄａｔａ  Ｃｈａｎｎｅｌ）信号線を介して行われる。
【００２２】
＋５Ｖ信号出力部２１１ａ、２１１ｂは、ＨＤＭＩ規格で定められた＋５Ｖ信号を出力する。＋５Ｖ信号出力部２１１ａ、２１１ｂから出力された＋５Ｖ信号は、ＨＤＭＩケーブル１０６を介してシンク装置に伝送される。ＨＤＭＩ端子において＋５Ｖ信号を受信したシンク装置は、ソース装置が接続されたと判定し、後述するＨＤＭＩ規格で定められたＨＰＤ信号をソース装置に対して送信する。
【００２３】
ＨＰＤ信号入力部２１２ａ、２１２ｂはシンク装置から送信されたＨＰＤ信号を受信し、ＣＰＵ２００にＨＰＤ信号の受信状態を通知する。ＨＰＤ信号とは、ＨＤＭＩ規格で定められたソース装置がシンク装置の接続を検知するための信号である。ＨＰＤ信号を受信したソース装置は当該ＨＤＭＩ端子にシンク装置が接続されたと判断し、ＨＰＤ信号を受信していない場合、ソース装置は、シンク装置が接続されていないと判断する。
【００２４】
映像音声送信部２１３ａ、２１３ｂは、シンク装置に対してに映像データ、音声データ及び補助データを重畳したデータ信号（ＴＭＤＳ信号）を送信する。
【００２５】
ＣＥＣコマンド送受信部２１４ａ、２１４ｂは、ＣＰＵ２００において生成されたＣＥＣコマンドをＨＤＭＩケーブル１０６を介してシンク装置に送信する。また、ＣＥＣコマンド送受信部２１４ａ、２１４ｂは、ＨＤＭＩケーブルを介してシンク装置から受信したＣＥＣコマンドをＣＰＵ２００に供給する。シンク装置から受信したＣＥＣコマンドは、ＣＥＣコマンド送受信部２１４ａからＣＰＵ２００に供給され、ＣＰＵ２００は、シンク装置装置から受信したＣＥＣコマンドの種類に応じて映像送信装置１００を制御することができる。
【００２６】
また、ＣＰＵ２００は、ＣＥＣコマンド送受信部２１４ａ、２１４ｂの有効／無効状態を制御する事が出来る。ＣＥＣコマンド送受信部が有効である場合、映像送信装置１００は当該ＨＤＭＩ端子においてＣＥＣ機能を利用可能な状態となる。無効である場合、映像送信装置１００は当該ＨＤＭＩ送信部においてＣＥＣ機能を利用出来ない状態となる。ＣＥＣ規格の規定により１つのＨＤＭＩシステム内にはテレビは１台しか接続出来ない。このため、ＣＥＣ対応装置が２台接続中の場合、ＣＥＣコマンド送受信部２１４ａが有効状態のとき、ＣＥＣコマンド送受信部２１４ｂが無効化され、ＣＥＣコマンド送受信部２１４ｂが有効状態のとき、ＣＥＣコマンド送受信部２１４ａが無効化される。ＣＥＣコマンド送受信部が無効状態のとき、ＣＥＣコマンド送受信部２１４ａ、２１４ｂは全てのＣＥＣコマンドに対し否定応答を送信する。ＣＥＣ規格の規定により、否定応答を受信したシンク装置は映像送信装置１００がＣＥＣ機能に対応していないと判定する。このため、ＣＥＣコマンド送受信部２１４ａ、２１４ｂの有効／無効状態を切り替える事によって、当該送受信部のＣＥＣ機能に対する対応状態（対応／非対応状態）を制御する事が出来る。また、映像送信装置１００がシンク装置にＣＥＣコマンドを送信した場合に、シンク装置が映像送信装置１００からのＣＥＣコマンドを受信できたとき、シンク装置はＣＥＣコマンドに対する応答信号をビデオカメラ１００に送信する。ＣＥＣコマンド送受信部２１４ａ、２１４ｂは、ＣＥＣコマンドに対する応答信号を受信し、受信結果をＣＰＵ２００に通知する。また、映像送信装置１００がシンク装置にＣＥＣコマンドを送信した場合に、シンク装置が映像送信装置１００からのＣＥＣコマンドを受信できたとき、シンク装置はＣＥＣコマンドに対する応答信号を映像送信装置１００に送信する。ＣＥＣコマンド送受信部２１４ａ、２１４ｂは、ＣＥＣコマンドに対する応答信号を受信し、受信結果をＣＰＵ２００に通知する。
【００２７】
ＲＯＭ２１０は映像送信装置１００を起動するプログラムが格納されており、電源２０２にて電気信号が供給されると、前記プログラムがＣＰＵ２００によって後述するＲＡＭ２０９に読み出される。
【００２８】
ＲＡＭ２０９は、ＣＰＵ２００のワークエリアとして機能する。ＲＡＭ２０９には、映像送信装置１００に関する情報、ＣＰＵ２００による接続されたシンク装置のＥＤＩＤ解析結果等も格納される。なお、ＣＰＵ２００のワークエリアは、ＲＡＭ２０９に限られるものではなく、ハードディスク装置等の外部記録装置等であってもよい。また、ＲＡＭ２０９には、映像送信装置１００に割り当てられる論理アドレスも格納される。論理アドレスとは、ＨＤＭＩ規格で規定されたＨＤＭＩ規格に準拠した装置の種類を規定する情報であり、ＨＤＭＩ装置が接続されたタイミングで、ＣＥＣ規格に定められた手順に従って決定される。同一のＣＥＣネットワークに接続されたＨＤＭＩ装置はそれぞれ異なる論理アドレスを持つ。ＣＥＣ規格により、ＴＶ装置の論理アドレスは「０」である事、１つのＣＥＣネットワークに接続可能な論理アドレス「０」の装置は１台のみである事が規定されている。
【００２９】
電源２０２はＡＣ電源、または図示されないバッテリーから映像送信装置１００の各部に必要な電源を供給する。
【００３０】
カメラ部２０３は、図示されないレンズ、撮像素子、画像処理部等から構成され、映像送信装置１００がカメラ部２０３を通して撮像した映像データを記録するモードの場合、ＣＯＤＥＣ２０４に対して映像データを送信する。
【００３１】
ＣＯＤＥＣ２０４が内蔵メモリー２０１または、ＳＤメモリカード２０７から再生した映像データは、ＣＯＤＥＣ２０４から表示部ＬＣＤパネル２０５に供給される。ＣＯＤＥＣ２０４が内蔵メモリー２０１または、ＳＤメモリカード２０７から再生した音声データは、ＣＯＤＥＣ２０４から図示されないスピーカ部に供給され、スピーカ部から出力される。
【００３２】
内蔵メモリー２０１は映像データ及び音声データを格納し、他にハードディスク装置なども該当する。ＳＤメモリカード２０７は、ＳＤメモリカードスロット２０８を介して、映像データや音声データを格納する。ＬＣＤパネル２０５は、映像送信装置１００がカメラ部２０３から送信されたデータを記録するモードである場合、カメラ部２０３から送信された映像データを表示する。また、映像送信装置１００が内蔵メモリー２０１やＳＤメモリカード２０７に記録された映像音声データを再生するモードである場合、内蔵メモリー２０１やＳＤメモリカード２０７から再生した映像データを表示する。操作部１０９は、映像送信装置１００を操作するためのユーザインターフェースを提供する。操作部１０９は、映像送信装置１００を操作するための再生ボタン、モード切替ボタン等を有し、各ボタンはスイッチ、タッチパネル等により構成される。ＣＰＵ２００は、操作ボタン２０６を介して入力されたユーザの指示に従って映像送信装置１００を制御することができる。
【００３３】
次に図３を参照して、本実施形態に係る映像送信装置１００の制御フローについて説明する。図３は、映像送信装置１００のＨＤＭＩ端子１０１、１０２が映像受信装置１０３のＨＤＭＩ受信部１０４、１０５のそれぞれに接続された際の処理を示すフローチャートである。
【００３４】
まず、映像送信装置１００のＨＤＭＩ送信部１０１、１０２がそれぞれ、映像受信装置１０３のＨＤＭＩ受信部１０４、１０５に接続されていることを判定する（Ｓ３００）。具体的には、ＣＰＵ２００がＨＰＤ信号入力部２１２ａ、２１２ｂにおいてＨＰＤ信号を受信しているか否かを判定する。ＨＰＤ信号入力部２１２ａ、２１２ｂにおいてＨＰＤ信号を受信している場合、ＨＤＭＩ端子１０１、１０２に映像受信装置１０３が接続中であると判定し、確立されている接続状態の総数をＲＡＭ２０９に保存後、Ｓ３０１に進む。
【００３５】
ＨＰＤ信号を受信していない場合、ＨＤＭＩ端子１０１、１０２に映像受信装置１０３が接続されていないと判定し、処理を終了する。Ｓ３０１では、ＨＤＭＩ端子１０１、１０２とＨＤＭＩ端子１０４、１０５に対して、確立された接続の総数を確認する。具体的には、ＣＰＵ２００によって、ＲＡＭ２０９を参照し、ＲＡＭ２０９に保存された、確立された接続の総数が１を超えると確認された場合、Ｓ３０２に進む。接続の総数が１以下である場合は、処理を終了する。  Ｓ３０２では各ＨＤＭＩ端子１０１、１０２に接続されたＨＤＭＩ端子１０４、１０５が同一の映像受信装置１０３のものであるかどうかを判定する。具体的には、ＨＤＭＩ端子１０１、１０２に接続されたＨＤＭＩ端子１０４、１０５の各々の物理アドレスを、前記ＤＤＣ信号線を介してＥＤＩＤ信号入力部２１５ａ、２１５ｂによって取得し、ＣＰＵ２００によって異なるか否かを判定する。判定した物理アドレスが異なる場合は、Ｓ３０３に進む。物理アドレスが一致する場合は、Ｓ３０７に進み、処理を終了する。
【００３６】
Ｓ３０３では、各ＨＤＭＩ端子１０１、１０２のＥＤＩＤ信号入力部で、映像受信装置１０３のＥＤＩＤ  ＲＯＭから取得済みの表示可能な映像の解像度が、映像送信装置１００が送信する映像情報の解像度を許容しているか否かを判定する。解像度が許容できる場合は、Ｓ３０４に進む。映像送信装置１００の映像信号が許容できない解像度である場合は、Ｓ３０７に進み処理を終了する。
【００３７】
Ｓ３０４では、さらにＤＤＣを介して映像受信装置１０３の持つＥＤＩＤ  ＲＯＭから取得したＴＶ固有の情報の比較をＣＰＵ２００にて行う。具体的には、ＴＶの型番／製造年月日／シリアルＮｏ．を各々のＥＤＩＤ信号入力部から取得後、取得した各々の型番／製造年月日／シリアルＮｏ．同士が、全て一致するかどうかをＣＰＵ２００にて判定する（Ｓ３０５）。
【００３８】
尚、本件ではＥＤＩＤ  ＲＯＭから取得した、ＴＶ固有の情報を、型番／製造年月日／シリアルＮｏ．としたが、これら以外の情報を使用してもよい。また、型番／製造年月日／シリアルＮｏ．の全ての一致ではなく、いくつかの項目だけの一致を判定してもよい。全て一致した場合は、Ｓ３０６に進み、映像送信装置１００のＨＤＭＩ端子１０１、１０２が、各々同じ映像受信装置１０３のＨＤＭＩ端子１０４、１０５にそれぞれ接続されていることの確認が完了する（検知手段）。続けて、Ｓ３０８に進む。一致しなかった場合は、Ｓ３０７に進み、処理を終了する。
【００３９】
Ｓ３０８では、同一の映像受信装置１０３の各々のＨＤＭＩ端子１０４、１０５に映像送信装置の各々のＨＤＭＩ送信部が接続されている。このため、映像送信装置側のどちらか一方のＨＤＭＩ端子（１０１または１０２）から映像受信装置１０３側のどちらか一方のＨＤＭＩ端子（１０４または１０５）への映像音楽信号の出力は継続する。さらに、映像送信装置１００の他方のＨＤＭＩ端子（１０１または１０２）から映像受信装置１０３側の他方のＨＤＭＩ端子（１０４または１０５）への映像信号の出力を停止する。尚、映像送信装置１００のＬＣＤパネル２０５に、同一の映像受信装置１０３の各々のＨＤＭＩ端子１０４、１０５に、映像送信装置１００の各々のＨＤＭＩ端子から同一の映像信号が重複して出力されていることを示す情報を表示しても良い。
【００４０】
＜第２の実施形態＞
本実施形態のシステム図は第１の実施形態と同様であるため、説明を省略する。図１、４、５を参照しながら説明する。ビデオカメラ側のＨＤＭＩ端子（１０１、１０２）がＴＶ側の複数のＨＤＭＩ端子（１０４、１０５）それぞれに接続されているかどうかを判断する処理は第１の実施形態と同様であるため、省略する。以下、ビデオカメラ側のＨＤＭＩ端子（１０１、１０２）がＴＶ側の複数のＨＤＭＩ端子（１０４、１０５）それぞれに接続されている状態での実施例である。
【００４１】
まず、Ｓ４００にて、ＴＶ側がＣＥＣコマンドに対応しているか否かを判定する。映像送信装置１００のＨＤＭＩ端子１０１、１０２から映像受信装置１０３のＨＤＭＩ端子１０４、１０５各々に対して、ＣＥＣコマンドをＣＰＵ２００を介して送信する。映像受信装置１０３側のＨＤＭＩ端子からのＣＥＣコマンドの受信への応答コマンドを映像送信装置のＨＤＭＩ端子１０１、１０２内のＣＥＣコマンド送受信部２１４ａ、２１４ｂで受信した際、映像受信装置１０３がＣＥＣコマンドに対応していると判断する。その後、Ｓ４０１に進む。応答コマンドが返ってこなかった場合は、処理を終了する。具体的には、映像受信装置１０３側が有効としているＨＤＭＩ端子が１０４であるか１０５であるかを判定する。
【００４２】
Ｓ４０１では、ＣＥＣコマンドの＜Ｓｅｔ  Ｓｔｒｅａｍ  Ｐａｔｈ＞コマンドが映像受信装置１０３側のＨＤＭＩ端子から送信されたかどうかを判定する。＜Ｓｅｔ  Ｓｔｒｅａｍ  Ｐａｔｈ＞コマンドは、映像受信装置１０３のＨＤＭＩ端子１０４、１０５より送信され、映像送信装置側で受信すると、コマンドからどのＨＤＭＩ端子が映像受信装置１０３側で有効となっているかを判断することができる。＜Ｓｅｔ  Ｓｔｒｅａｍ  Ｐａｔｈ＞コマンドを映像送信装置１００側のＣＥＣコマンド送受信部２１４ａ、２１４ｂで受信後、コマンドからＴＶ側で有効となっているＨＤＭＩ端子が、１０４であるか１０５であるかを判別する。判別後にＳ４０２に進む。ＣＥＣコマンド送受信部２１４ａ、２１４ｂにて＜Ｓｅｔ  Ｓｔｒｅａｍ  Ｐａｔｈ＞コマンドが受信できなかった場合でも、他のＣＥＣコマンドにて有効であるＨＤＭＩ端子を判定できるため、後述するＳ４０３に進む。
【００４３】
Ｓ４０２では、既にＳ４０１で映像受信装置１０３側で有効であるＨＤＭＩ端子が確認できている。しかし、有効なＨＤＭＩ端子を判定できる、他のＣＥＣコマンド＜Ｒｏｕｔｉｎｇ  Ｃｈａｎｇｅ＞をさらに受信することがあるため、Ｓ４０２で＜Ｒｏｕｔｉｎｇ  Ｃｈａｎｇｅ＞コマンドの受信の有無を確認する。＜Ｒｏｕｔｉｎｇ  Ｃｈａｎｇｅ＞コマンドは、映像受信装置１０３側で有効であるＨＤＭＩ端子１０４、１０５が変更された場合、ＨＤＭＩ端子１０４、１０５に接続されているソース装置に、有効なＨＤＭＩ端子の変更及び現在有効なＨＤＭＩ端子を通知する。映像受信装置１０３のＨＤＭＩ端子１０４、１０５から送信された＜Ｒｏｕｔｉｎｇ  Ｃｈａｎｇｅ＞コマンドを、映像送信装置１００がＣＥＣコマンド送受信部２１４ａ、２１４ｂでＣＰＵ２００を介して受信した場合、Ｓ４０４に進む。
【００４４】
Ｓ４０３では、前記＜Ｓｅｔ  Ｓｔｒｅａｍ  Ｐａｔｈ＞がＣＥＣコマンド入出力部２１４ａ、２１４ｂで受信しなかった場合で、＜Ｒｏｕｔｉｎｇ  Ｃｈａｎｇｅ＞コマンドを受信したかどうかを判定する。＜Ｒｏｕｔｉｎｇ  Ｃｈａｎｇｅ＞を受信した場合は、映像受信装置１０３側の有効なＨＤＭＩ端子が判定できるため、Ｓ４０４に進む。＜Ｒｏｕｔｉｎｇ  Ｃｈａｎｇｅ＞を受信しなかった場合は、映像受信装置１０３側で有効はＨＤＭＩ端子が判別できないため処理を終了する。
【００４５】
Ｓ４０４では、以前ので、＜Ｒｏｕｔｉｎｇ  Ｃｈａｎｇｅ＞コマンドをＣＥＣコマンド入出力部２１４ａ、２１４ｂで受信している場合、＜Ｒｏｕｔｉｎｇ  Ｃｈａｎｇｅ＞から判定したＴＶ側のＨＤＭＩ端子を有効はＨＤＭＩ端子とする。＜Ｒｏｕｔｉｎｇ  Ｃｈａｎｇｅ＞コマンドを受信しなかった場合は、＜Ｓｅｔ  Ｓｔｒｅａｍ  Ｐａｔｈ＞コマンドから判定したＨＤＭＩ端子を有効なＨＤＭＩ端子（１０４または１０５）とする。最後にＳ４０５に進み、Ｓ４０４で有効だと判断したＨＤＭＩ端子以外の映像受信装置１０３側に接続されているＨＤＭＩ端子（１０４または１０５）への、映像音楽信号出力を停止し、処理を終了する。
【符号の説明】
【００４６】
１００  映像送信装置
１０３  映像受信装置
【図２】
2015186061.tif 000003
【図１】
2015186061.tif 000004
【図３】
2015186061.tif 000005
【図４】
2015186061.tif 000006
【図５】
2015186061.tif 000007